(57)【特許請求の範囲】
【請求項１】
回線業者情報が記憶されている記憶手段と、
携帯電話サービスを契約した回線業者の回線業者情報及び端末番号情報が格納されたメモリカードを装着する装着手段と、
前記装着手段に装着されたメモリカード内の回線業者情報と、前記記憶手段に記憶されている回線業者情報とを照合する回線業者照合手段と、
前記回線業者照合手段により前記メモリカードに格納された回線業者情報と前記記憶手段に記憶された回線業者情報が一致したと判断された場合に、前記メモリカード内の端末番号情報を前記記憶手段に記憶し、発着信動作を可能にする発着信制御手段とを備えた携帯電話機であって、
前記装着手段にメモリカードが装着されているか否かを判断する実装確認手段と、
前記実装確認手段により、前記メモリカードが未実装であると判断された場合に、前記記憶手段に記憶してある前記端末番号をクリアする初期化手段と、
を備えたことを特徴とする携帯電話機。
【請求項２】
発信及び着信が可能な発着信動作モードと、着信のみ可能な着信動作モードとを有する携帯電話機であって、
回線業者情報が記憶されている記憶手段と、
携帯電話サービスを契約した回線業者の回線業者情報、端末番号情報及び予め定められたパスワード情報が格納されたメモリカードを装着する装着手段と、
前記装着手段に装着されたメモリカード内の回線業者情報と、前記記憶手段に記憶されている回線業者情報とを照合する回線業者照合手段と、
前記回線業者照合手段により前記メモリカードに格納された回線業者情報と前記記憶手段に記憶された回線業者情報が一致したと判断された場合に、前記メモリカード内の端末番号情報を前記記憶手段に記憶し、発着信動作を可能にする発着信制御手段と、
パスワードを入力する入力手段と、
前記装着手段に装着されたメモリカード内のパスワードと、前記入力手段により入力されたパスワードとを照合するパスワード照合手段と、
前記パスワード照合手段により、前記回線業者照合手段により前記メモリカードに格納された回線業者情報と前記記憶手段に記憶された回線業者情報が一致したと判断され、かつ、前記パスワード照合手段により、前記入力手段から入力されたパスワードと前記装着手段に装着されたメモリカード内のパスワードとが一致したと判断された場合には、前記発着信動作モードに設定し、前記入力手段から入力されたパスワードと前記装着手段に装着されたメモリカード内のパスワードとが一致しないと判断された場合には、前記着信モードに設定する動作モード設定手段とを備えたことを特徴とする携帯電話機。
【請求項３】
回線業者情報が記憶されている記憶手段と、
携帯電話サービスを契約した回線業者の回線業者情報、端末番号情報及び予め定められたパスワード情報が格納されたメモリカードを装着する装着手段と、
前記装着手段に装着されたメモリカード内の回線業者情報と、前記記憶手段に記憶されている回線業者情報とを照合する回線業者照合手段と、
前記回線業者照合手段により前記メモリカードに格納された回線業者情報と前記記憶手段に記憶された回線業者情報が一致したと判断された場合に、前記メモリカード内の端末番号情報を前記記憶手段に記憶し、発着信動作を可能にする発着信制御手段と、
パスワードを入力する入力手段と、
前記装着手段に装着されたメモリカード内のパスワードと、前記入力手段により入力されたパスワードとを照合するパスワード照合手段と、
未操作状態を検出する検出手段とを有し、
前記発着信制御手段は、前記回線業者照合手段により前記メモリカードに格納された回線業者情報と前記記憶手段に記憶された回線業者情報が一致したと判断され、かつ、前記パスワード照合手段により、前記入力手段から入力されたパスワードと前記装着手段に装着されたメモリカード内のパスワードとが一致したと判断された場合に、発着信動作を可能にする携帯電話機であって、
前記検出手段が未操作状態と判断した場合には、パスワード入力待ちの状態にするパスワード要求手段を備えたことを特徴とする携帯電話機。
【請求項４】
前記検出手段は、振動状態を検出する振動検出手段又は不操作状態を検出する操作検出手段であり、静止又は不操作の状態が所定時間継続した場合に、未操作状態と判定することを特徴とする請求項３記載の携帯電話機。
【発明の詳細な説明】
【０００１】
【発明の属する技術分野】
本発明は、無線回線を介して通話が行われる携帯電話機に関する。
【０００２】
【従来の技術】
従来、システム情報やユーザ情報は携帯電話機に内蔵されたメモリに記憶していた。
【０００３】
また、パスワードで本人の確認を行なうことは行なわれていなかった。
【０００４】
【発明が解決しようとする課題】
しかしながら、上記のような従来の方式では、システム情報が携帯電話機の内蔵メモリに記憶されているので、新しい携帯電話機に買い替える時にも回線業者によるメモリの書き替えが必要で、手間と時間を要した。
【０００５】
特に端末番号を変えずに携帯電話機を取り替える、いわゆる同番移行には特に手間と時間がかかった。
【０００６】
また、ユーザ情報の記憶にも携帯電話機内蔵のメモリを使用していたので、携帯電話機を買い替える度に再入力が必要であった。
【０００７】
ユーザ情報が大きくなった場合に、内蔵メモリではメモリ不足が生じるという問題もあった。
【０００８】
現在の携帯電話機はセキュリティの保護に対する配慮、例えばパスワードの導入が為されていないために、携帯電話機が第三者の手に渡った場合、第三者による不正な発信が可能であり、ユーザ情報を見られるという問題もあった。
【０００９】
【課題を解決するための手段】
上記の課題を解決するために請求項１に記載の発明は、回線業者情報が記憶されている記憶手段と、携帯電話サービスを契約した回線業者の回線業者情報及び端末番号情報が格納されたメモリカードを装着する装着手段と、前記装着手段に装着されたメモリカード内の回線業者情報と、前記記憶手段に記憶されている回線業者情報とを照合する回線業者照合手段と、前記回線業者照合手段により前記メモリカードに格納された回線業者情報と前記記憶手段に記憶された回線業者情報が一致したと判断された場合に、前記メモリカード内の端末番号情報を前記記憶手段に記憶し、発着信動作を可能にする発着信制御手段とを備えた携帯電話機であって、前記装着手段にメモリカードが装着されているか否かを判断する実装確認手段と、前記実装確認手段により、前記メモリカードが未実装であると判断された場合に、前記記憶手段に記憶してある前記端末番号をクリアする初期化手段と、を備えたことを特徴とする。また、請求項２に記載の発明は、発信及び着信が可能な発着信動作モードと、着信のみ可能な着信動作モードとを有する携帯電話機であって、回線業者情報が記憶されている記憶手段と、携帯電話サービスを契約した回線業者の回線業者情報、端末番号情報及び予め定められたパスワード情報が格納されたメモリカードを装着する装着手段と、前記装着手段に装着されたメモリカード内の回線業者情報と、前記記憶手段に記憶されている回線業者情報とを照合する回線業者照合手段と、前記回線業者照合手段により前記メモリカードに格納された回線業者情報と前記記憶手段に記憶された回線業者情報が一致したと判断された場合に、前記メモリカード内の端末番号情報を前記記憶手段に記憶し、発着信動作を可能にする発着信制御手段と、パスワードを入力する入力手段と、前記装着手段に装着されたメモリカード内のパスワードと、前記入力手段により入力されたパスワードとを照合するパスワード照合手段と、前記パスワード照合手段により、前記回線業者照合手段により前記メモリカードに格納された回線業者情報と前記記憶手段に記憶された回線業者情報が一致したと判断され、かつ、前記パスワード照合手段により、前記入力手段から入力されたパスワードと前記装着手段に装着されたメモリカード内のパスワードとが一致したと判断された場合には、前記発着信動作モードに設定し、前記入力手段から入力されたパスワードと前記装着手段に装着されたメモリカード内のパスワードとが一致しないと判断された場合には、前記着信モードに設定する動作モード設定手段とを備えたことを特徴とする。また、請求項３に記載の発明は、回線業者情報が記憶されている記憶手段と、携帯電話サービスを契約した回線業者の回線業者情報、端末番号情報及び予め定められたパスワード情報が格納されたメモリカードを装着する装着手段と、前記装着手段に装着されたメモリカード内の回線業者情報と、前記記憶手段に記憶されている回線業者情報とを照合する回線業者照合手段と、
前記回線業者照合手段により前記メモリカードに格納された回線業者情報と前記記憶手段に記憶された回線業者情報が一致したと判断された場合に、前記メモリカード内の端末番号情報を前記記憶手段に記憶し、発着信動作を可能にする発着信制御手段と、パスワードを入力する入力手段と、前記装着手段に装着されたメモリカード内のパスワードと、前記入力手段により入力されたパスワードとを照合するパスワード照合手段と、未操作状態を検出する検出手段とを有し、前記発着信制御手段は、前記回線業者照合手段により前記メモリカードに格納された回線業者情報と前記記憶手段に記憶された回線業者情報が一致したと判断され、かつ、前記パスワード照合手段により、前記入力手段から入力されたパスワードと前記装着手段に装着されたメモリカード内のパスワードとが一致したと判断された場合に、発着信動作を可能にする携帯電話機であって、前記検出手段が未操作状態と判断した場合には、パスワード入力待ちの状態にするパスワード要求手段を備えたことを特徴とする。
【００１０】
本発明によれば、携帯電話機を取り替えてもメモリカードを装着替えすることにより、メモリカードに記憶された回線業者コード、端末番号の携帯電話機として機能する。
【００１１】
本発明の請求項４に記載の携帯電話機は、請求項３に記載の発明において、前記検出手段が、振動状態を検出する振動検出手段又は不操作状態を検出する操作検出手段であり、静止又は不操作の状態が所定時間継続した場合に、未操作状態と判定することを特徴とする。
【００１２】
本発明によれば、携帯電話機は、サーバとの間でデータの送受信を行うことができる。
【００１４】
本発明によれば、携帯電話機は、サーバを介して他の端末装置のデータをダウンロードし、メモリカードに書き込むことができる。
【００１６】
本発明によれば、パスワードの使用が可能になるので、携帯電話機の他人による不正使用を防止できる。
【００１８】
本発明によれば、パスワードがメモリカードに記憶されているので、携帯電話機を取り替えてもセキュリティは保持される。
【００２０】
本発明によれば、携帯電話機に記憶されたパスワードと対応しないパスワードが予め定められた回数以上入力された場合には着信モードに設定できるので、第三者による不正な発信を防止できる。
【００２２】
本発明によれば、パスワードがメモリカードに記憶されているので、メモリカードを保管している限り、携帯電話機からの第三者による不正発信を防止できる。
【００２４】
本発明によれば、携帯電話機が未操作と判断された場合には、パスワードを入力しなければ使用可能状態にならないので、置き忘れ、盗難等の場合における不正使用を防止または軽減できる。
【００２６】
本発明によれば、携帯電話機が未操作と判断されたばあいには、携帯電話機にメモリカードが装着されていても、第三者による不正使用を防止または軽減できる。
【００２８】
本発明によれば、静止または不操作の状態が所定の時間継続した場合に未操作状態と判定するので、置き忘れ、盗難等の場合の第三者による不正使用の防止または軽減の効果が一段と大きくなる。
【００２９】
【発明の実施の形態】
図１は本発明の実施の形態による携帯電話機の外観図で、１は携帯電話機本体、２はアンテナ、３は情報表示部、４はスピーカ（受話器）、５はデータ通信ボタン、６は応答ボタン、７はダイヤルボタン群、８はマイクロホン（送話器）、９はメモリカード挿入口、１０はメモリカードである。
【００３０】
図２はメモリカードに記憶させる情報の内容を図示したもので、システム情報としては、携帯電話サービスを提供する回線業者コード、端末番号（電話番号）、パスワード、パスワード不一致回数、操作規制情報等がある。
【００３１】
ユーザ情報としては、電話情報（電子電話帳）、メモ情報等がある。
【００３２】
図３は携帯電話機１のブロック構成図で、４は図１のスピーカ（受話器）、８は図１のマイクロホン（送話器）、１０は同じく図１のメモリカードである。
【００３３】
１１は押しボタンダイヤル信号受信機（ＰＢ信号受信機、以下押しボタンダイヤルをＰＢと略称する）、１２はＰＢ信号送信機、１３はキー操作検出回路、１４は図１の情報表示部３に表示するための表示回路である。
【００３４】
１５は受信信号の出力先を切り替える受信セレクタ、１６は送信信号の入力先を切り替える送信セレクタ、１７は携帯電話機全体を制御する中央処理ユニット（以下、ＣＰＵと略称する）である。
【００３５】
２０は電波の受信、送信を行なう無線回路、１８は無線回路２０で受信した情報を整形する受信回路、１９は送信情報を無線化するための送信回路、２１は携帯電話機の振動を検出する振動検出回路である。
【００３６】
図３において、メモリカード１０を除いた部分が本発明で言う携帯電話機１である。従って、携帯電話機１にメモリカード１０が挿入されて従来の携帯電話機の機能を発揮する。
【００３７】
図４は、本発明の実施の形態における、携帯電話機のユーザと、携帯電話機の販売店と、携帯電話サービスを提供する回線業者の関係を示す。
【００３８】
ユーザは回線業者と携帯電話サービスの使用契約を結ぶ。回線業者は回線業者コード、端末番号、パスワード等をメモリカードに書き込み、パスワード不一致回数をクリアし、操作規制を解除したメモリカードをユーザに渡す。
【００３９】
一方、回線業者は図５に示すように、管理端末のデータベースにメモリカードと同じ内容のデータを記録する。ここでアクセス番号とは貸しメモリサービスを利用する場合、ユーザ開放メモリ空間へアクセスするための番号である。
【００４０】
メモリカード１０を受け取ったユーザは販売店へ行き、回線業者から受け取ったメモリカード１０が使用できる携帯電話機１を購入し、携帯電話機１を受け取る。
【００４１】
ユーザは購入した携帯電話機１にメモリカード１０を挿入し、パスワードを入力すれば使用可能になる。
【００４２】
メモリカード１０と携帯電話機１の物理的、電気的インタフェースが、全回線業者の間で統一されれば、ユーザはどの製造業者の、どの機種でも自由に選択できる効果がある。従って、携帯電話機１の機種の買い替えも自由になる。
【００４３】
図６は、携帯電話機１の情報表示部３に表示される代表的な画面を示したもので、図６（ａ）はパスワードの入力を要求する画面、図６（ｂ）は入力したパスワードが正しかったことを示す画面、図６（ｃ）はメモリカード内の回線業者コードと携帯電話機１の内蔵メモリの回線業者コードが不一致であることを表示する画面である。
【００４４】
図６（ｄ）はメモリカードが挿入されていないことを表示する画面、図６（ｅ）は入力したパスワードとメモリカードのパスワードが規定の回数以上不一致であった場合に、該携帯電話機１が着信専用になったことを示す画面、図６（ｆ）はサービスセンタとデータ通信をする場合のメニュー画面である。
【００４５】
図７に示すフローチャートによって、携帯電話機１の電源投入時の初期設定を説明する。
【００４６】
電源を投入すると、先ずメモリカード１０の実装をチェックする（ステップ１０１）。
【００４７】
メモリカード１０が実装されていれば、メモリカード１０内の回線業者コードと携帯電話機１の内蔵メモリに登録してある回線業者コードを照合する（ステップ１０２）。
【００４８】
回線業者コードが一致していれば、メモリカード１０内の操作規制情報をチェックする（ステップ１０３）。
【００４９】
操作規制が解除されていれば、パスワードの入力を要求するメッセージ図６（ａ）を情報表示部３に表示する（ステップ１０４）。
【００５０】
ユーザが図１のダイヤルボタン群７を操作して、回線業者との契約で決められたパスワードを入力すると、メモリカード１０内のパスワードとチェックされる（ステップ１０５）。
【００５１】
パスワードが一致した場合には、メモリカード１０内のパスワード不一致回数をクリアし（ステップ１０６）、情報表示部３に図６（ｂ）に示すパスワード照合ＯＫを表示する（ステップ１０７）。
【００５２】
パスワードの照合を完了した後、携帯電話機１の内蔵メモリエリアにメモリカード内の端末番号（電話番号）を登録し（ステップ１０８）、以後該端末番号の携帯電話機１になり、該端末番号への着信を受け付ける。
【００５３】
この状態を通常運用状態と呼び、この携帯電話機からの発信、着信が可能になり、ユーザ情報の読み出しおよび変更も可能になる。
【００５４】
電源ＯＮでメモリカード１０が未実装であった場合には、図６（ｄ）に示す如くメモリカード無しを情報表示部３に表示する（ステップ１０９）。
【００５５】
この時、携帯電話機１の内蔵メモリに登録してある端末番号をクリアする（ステップ１１０）ので着信もできなくなる。
【００５６】
通常運用状態でもメモリカード１０の実装を監視しており、メモリカード１０が実装されていないことを検出すると、携帯電話機１の内蔵メモリに登録してある端末番号をクリアし、以後の着信は受け付けない。
【００５７】
ステップ１０２でメモリカード１０内の回線業者コードと携帯電話機内蔵メモリ内の回線業者コードが不一致であった場合には、図６（ｃ）に示すメモリカード不正表示を情報表示部３に表示し（ステップ１１１）、正常なメモリカードの挿入を待つ。
【００５８】
ユーザが入力したパスワードがメモリカード１０内のパスワードと不一致の場合には、メモリカード１０内のパスワード不一致回数を更新し（ステップ１１２）、パスワード不一致回数が規定回数（携帯電話機内蔵メモリに設定してある値）に達していなければ情報表示部３に図６（ａ）のパスワード入力要求の表示をする（ステップ１０４）。
【００５９】
パスワード不一致回数が規定回数に達した場合には、メモリカード１０内のパスワード不一致回数をクリアし（ステップ１１４）、メモリカード内の操作規制情報を規制に設定する（ステップ１１５）。
【００６０】
パスワード不一致回数オーバーで操作規制になった場合、およびステップ１０３の操作規制チェックで操作規制がされていることが判明した場合には、図１の応答ボタン６以外の操作を規制し、情報表示部３に図６（ｅ）の操作規制表示をする（ステップ１１６）。
【００６１】
そしてメモリカード１０内の端末番号を携帯電話機１の内蔵メモリに登録し（ステップ１１７）、以後この端末番号の携帯電話機として着信のみを受け付ける。
【００６２】
以上の本発明の実施の形態では、販売店から購入した携帯電話機１に、回線業者が発行したメモリカード１０を挿入することにより、従来どおりの携帯電話機として機能する上、ユーザは別の携帯電話機への買い替えを、回線業者との契約変更なしで行なえる。
【００６３】
携帯電話機を紛失するか、盗難に遭った場合に、従来の一体型携帯電話機であれば自由に電話をかけることもできるし、電子電話帳の様な個人情報を見ることも可能であったが、本発明の様に携帯電話機１とメモリカード１０を分離できれば、使用時以外には分離して保管することによって、紛失、盗難の場合にも過大な通話料を負担させられることもなくなる。
【００６４】
メモリカード１０付きの携帯電話機１の紛失は、置き忘れによることが多いと考えられる。本発明の実施の形態では、置き忘れに起因する他人による不正使用を防止するために、図３の振動検出回路２１を設けた。
【００６５】
即ち、振動検出回路２１が携帯電話機１の振動を検出し、ＣＰＵ１７が検出結果を常時監視し、一定時間振動がない状態（携帯電話機が静止した状態）が継続するか、一定時間何の操作もされない場合には、図８に示すように携帯電話機１をパスワード入力待ちの状態にする（ステップ２０１）。
【００６６】
パスワード入力待ちの状態では携帯電話機の機能は着信のみに限定される。
【００６７】
この状態でユーザが携帯電話機１を使用した場合には、図９に示すフローチャートに従った動作をする。
【００６８】
即ち、キー操作が行なわれると応答ボタンかどうかを判断し（ステップ３０１）、応答ボタンでなければパスワード入力待ちかどうかを判断する（ステップ３０２）。
【００６９】
パスワード入力待ちであれば情報表示部３に図６（ａ）に示したメッセージを表示し（ステップ３０３）、ユーザにパスワードの入力を促す。
【００７０】
ステップ３０１で応答ボタンの操作であれば応答処理を行なう（ステップ３０５）。
【００７１】
ステップ３０２でパスワード入力待ちの状態でなければ、即ち、既にパスワードが入力されている状態であればキー操作を受け付ける（ステップ３０４）。
【００７２】
本発明の実施の形態においては、回線業者が管理端末のメモリの一部をユーザに貸す、貸しメモリサービスが可能である。
【００７３】
貸しメモリサービスは、ユーザ情報の増加によって携帯電話機１内のユーザ情報格納メモリの不足を補うこと、および携帯電話機１内のユーザ情報の保管場所を提供することを目的としている。
【００７４】
ユーザは回線業者と契約し、回線業者からサーバアクセス番号をもらう。
【００７５】
回線業者はサービスセンタ内のサーバに図５に示すデータベースにユーザ情報を登録する。
【００７６】
データベースには、端末番号、契約者氏名、パスワード、貸しメモリサービスの有無、の管理情報と、ユーザに開放するメモリエリアが書き込まれる。
【００７７】
携帯電話機１とサービスセンタは、図１３に示すように無線基地局あるいは無線中継局を経由して電波で接続される。
【００７８】
図１０に本サービスの概略システム構成図を示す。
【００７９】
ユーザは携帯電話機１からサービスセンタを呼んで通話状態にし、ユーザ情報のやり取りを行なう。サーバから携帯電話機１へユーザ情報を転送することをダウンロード、携帯電話機１からサーバへユーザ情報を転送することをアップロードと呼ぶ。
【００８０】
ダウンロードの場合は、ユーザ情報を電波に乗せてサーバから携帯電話機１へ送り、携帯電話機１はメモリカード１０へ受信したユーザ情報を格納する。
【００８１】
アップロードの場合は、携帯電話機１内のメモリカード１０のユーザ情報を読み出し、電波に乗せてサーバへ送信する。
【００８２】
ユーザ情報、および携帯電話機１とサービスセンタの間の信号のやり取りはＰＢ信号を組み合わせたコードで行なわれる。
【００８３】
ＰＢ信号と各種コードの変換の一例を図１２に示す。コードはユーザ情報コードとシステム情報コードに分類され、図１２（ａ）、（ｂ）、（ｃ）、はユーザ情報コード変換図で、２桁の数字でアルファベット、カタカナ、ひらがな、記号を表し、図１２（ｄ）、（ｅ）、はシステム情報コードで“＃ＸＸ＊”の形をとる。
【００８４】
ユーザ情報は０〜９を２つ組み合わせてコード化される。例えば携帯電話機１内のユーザ情報０１２３は、アルファベット表示コード“＃００＊”プラス９０９１９２９３のＰＢ信号に変換されて電波に乗せて送られる。また携帯電話機１が受信した“＃００＊９０９１９２９３”のＰＢ信号は０１２３に置き換えてユーザ情報としてメモリカード１０に格納される。
【００８５】
システム情報は“＃ＸＸ＊”の４桁のＰＢ信号で表現される。従って“＃００＊”の次に送られるＰＢ信号は、図１２（ａ）のアルファベット変換図を用いて変換する。
【００８６】
図１１のシーケンスチャートを用いてダウンロードおよびアップロードの動作を説明する。
【００８７】
ユーザはサービスセンタへ電話する（ステップ４０１）。サービスセンタではこれに応答して“通信ボタンを押し、アクセス番号をダイヤルして下さい”と言う音声ガイダンスを送ってくる（ステップ４０２）。
【００８８】
この電波は携帯電話機１の無線回路２０で受信され、受信回路１８、受信セレクタ１５を通してスピーカ４に送られ前記ガイダンスをユーザに聞かせる。
【００８９】
ガイダンスを聞いたユーザは通信ボタンを押下し、これにより図３のＣＰＵ１７は受信セレクタ１５および送信セレクタ１６をそれぞれＰＢ信号受信機１１側およびＰＢ信号送信機１２側に切り替える。
【００９０】
続いてダイヤルボタンを押下してアクセス番号‘ＸＸＸＸＸ’を入力すると、キー操作検出回路１３で検出されてＣＰＵ１７へ通知され、ＣＰＵ１７は先頭にシステム情報コード“＃１７＊”を付加して、“＃１７＊ＸＸＸＸＸ”の送出をＰＢ信号送信機１２に指示する。コード化されたＰＢ信号は送信セレクタ１６、送信回路１９、無線回路２０を経由して電波でサービスセンタへ送られる（ステップ４０３）。
【００９１】
サービスセンタでは受信したアクセス番号コード“＃１７＊ＸＸＸＸＸ”の内‘ＸＸＸＸＸ’を図５のサーバ内データベースから検索して、一致したものがあればパスワード送信要求“＃１８＊”のＰＢ信号を携帯電話機１へ送信する（ステップ４０４）。一致しなければ通信を切断する。
【００９２】
パスワード送信要求信号“＃１８＊”は無線回路２０で受信され、受信回路１８、受信セレクタ１５、ＰＢ信号受信機１１の経路でＣＰＵ１７に送られ、ＣＰＵ１７は図６（ａ）の“パスワード？”を情報表示部３に表示する。
【００９３】
ユーザがダイヤルボタンを押下してパスワード‘ＹＹＹＹＹ’を入力すると、ＰＢ信号“＃１９＊ＹＹＹＹＹ”に変換され、アクセス番号の場合と同様の動作でパスワードがサービスセンタへ送信される（ステップ４０５）。
【００９４】
サービスセンタではパスワード“＃１９＊ＹＹＹＹＹ”の内‘ＹＹＹＹＹ’を図５のサーバ内データベースと照合し、一致したものがあればメニュー表示要求信号“＃０５＊”を携帯電話機１へ送信してくる（ステップ４０６）。一致したものが無ければ通信を切断する。
【００９５】
携帯電話機１ではＣＰＵ１７がこれを認識し、図３の表示回路１４に指示をして情報表示部３に図６（ｆ）のメニュー表示をする。
【００９６】
ユーザがダイヤルボタン“２”を押してダウンロードを選択すると、ＣＰＵ１７によってＰＢ信号“＃１１＊”に変換され、サービスセンタへ送信される（ステップ４０７）。
【００９７】
サービスセンタではダウンロードの準備を行ない、携帯電話機１に対してダウンロード開始信号“＃１２＊”を送信した（ステップ４０８）後、該ユーザに開放されたメモリ空間の情報を図１２の変換図に従い変換して、ユーザ情報として携帯電話機１へ転送してくる（ステップ４０９）。
【００９８】
携帯電話機１ではダウンロード開始信号“＃１２＊”を受信した後のＰＢ信号を図１２の変換図に従い元のユーザ情報に逆変換してメモリカード１０へ格納する。
【００９９】
ＰＢ信号の逆変換およびメモリカード１０への書き込みは、サービスセンタからダウンロード終了信号“＃１３＊”を受信するまで行なう。
【０１００】
サービスセンタでは、サービスセンタ内のユーザ開放空間のユーザ情報のダウンロードを終われば、ダウンロード終了信号“＃１３＊”を送信する（ステップ４１０）。
【０１０１】
続いて、再度メニュー表示要求信号“＃０５＊”を送ってくるので（ステップ４１１）、携帯電話機１ではＣＰＵ１７の制御で情報表示部３に図６（ｆ）のメニューを表示する。
【０１０２】
この状態で、ユーザがダイヤルボタン“１”を押してアップロードを選択すれば、ＣＰＵ１７によってアップロード要求信号“＃１４＊”に変換され、サービスセンタへ送信される（ステップ４１２）。
【０１０３】
サービスセンタではアップロード要求信号“＃１４＊”を受信した後、アップロード情報の受信準備を行い、携帯電話機１へアップロード準備完了信号“＃１５＊”を送信する（ステップ４１３）。
【０１０４】
この信号を受信した携帯電話機１では、メモリカード１０からユーザ情報を読み出し、図１２の変換図従い変換をしてユーザ情報としてサービスセンタへ送信する（ステップ４１４）。
【０１０５】
サービスセンタでは受信したＰＢ信号を図１２の変換図に従いコード化して、図５に示す該ユーザに開放されたメモリ空間へユーザ情報を格納する。
【０１０６】
ＰＢ信号の変換およびコードの書き込みは、携帯電話機１からのアップロード終了信号“＃１６＊”を受信するまで行なう。
【０１０７】
携帯電話機１はメモリカード１０内のユーザ情報のアップロードを終了するとアップロード終了信号“＃１６＊”をサービスセンタへ送信する（ステップ４１５）。
【０１０８】
サービスセンタは、アップロード終了信号“＃１６＊”を受信すると、再度メニュー表示要求信号“＃０５＊”を携帯電話機１に送信し（ステップ４１６）、携帯電話機１では図６（ｆ）のメニュー画面を情報表示部３に表示する。
【０１０９】
携帯電話機１では、アップロード要求もダウンロード要求も無ければサービスセンタへの接続を切断する。
【０１１０】
以上のシーケンスにより、サービスセンタ内のユーザ情報の携帯電話機１のメモリカード１０へのダウンロード、および携帯電話機１のメモリカード１０からサービスセンタ内メモリのユーザ開放空間へのアップロードを行なうことができる。
【０１１１】
本発明の実施の形態では、ＰＢ信号によるコード化で情報のやり取りを可能にしたため、携帯電話機１にモデム等の回路を内蔵しなくても情報端末として使用することができる。
【０１１２】
もし、他の端末装置（例えばパーソナルコンピュータ、パソコンと略称する）とのデータ通信を行なう場合には、サービスセンタ経由で行なうことができる。
【０１１３】
この場合には図１３に示すようにサービスセンタの管理端末にモデムを接続し、他の端末装置（例えばパソコン）とモデム通信を行なうことにより、データ転送が可能になる。
【０１１４】
図１４は他の端末（パソコン）利用者が、回線業者の登録ユーザである場合のシーケンスチャートである。以下図１４により動作シーケンスを説明する。
【０１１５】
先ず、利用者がサービスセンタへ電話をかける（ステップ５０１）。サービスセンタの管理端末とパソコン間でモデムのトレーニングを実施し、同期が確立すれば“アクセス番号、パスワード入力画面”図１５（ａ）をサービスセンタからパソコンへ送信する（ステップ５０２）。
【０１１６】
利用者はアクセス番号とパスワードを入力し、Ｅｎｔｅｒキーを押下してサービスセンタの管理端末へアクセス番号とパスワードを送信する（ステップ５０３）。
【０１１７】
管理端末では図５に示すデータベースから受信したアクセス番号を検索し、パスワードを照合する。アクセス番号が登録されており、パスワードが一致した場合には、パソコンに対して“ユーザ情報画面”図１５（ｂ）を送信する（ステップ５０４）。
【０１１８】
ユーザ情報画面は、図５に示すユーザ開放空間に登録してある情報を編集したものである。
【０１１９】
利用者はキー操作によってキー情報を管理端末へ送り（ステップ５０５）、画面上の情報を変更できる。画面上の情報変更は、管理端末から画面を再表示することによって行なう（ステップ５０６）。
【０１２０】
変更が終了した場合、パソコンでＥｎｔｅｒキーを押下し、Ｅｎｔｅｒキー押下情報を管理端末に送る（ステップ５０７）。
【０１２１】
Ｅｎｔｅｒキー押下情報を受け取った管理端末は“確認メッセージ”図１５（ｃ）をパソコンへ送信する（ステップ５０８）。
【０１２２】
利用者は変更を実施するかキャンセルするかをキー操作で指示できる。即ち、変更する場合はＹキーを押下、キャンセルする場合はＮキーを押下して、管理端末に送信する（ステップ５０９）。
【０１２３】
Ｙキー押下によって管理端末は変更情報を図５に示すユーザ開放空間に登録し、Ｎキー押下の時は図５に示すユーザ開放空間に対する登録を行なわない。
【０１２４】
この様にしてパソコンによるユーザ情報の変更が可能であるから、パソコンと携帯電話機１はデータベースを介して間接的に通信ができる。
【０１２５】
なお、アクセス番号が登録されていないか、パスワードが一致しない場合には通信を切断する。
【０１２６】
【発明の効果】
本発明によれば、携帯電話機に記憶された回線業者コードとメモリカード内の回線業者コードが一致していれば、メモリカードの差し換えだけで自由に携帯電話機を変えられる効果を有する。
【０１２７】
また端末番号を変えずに携帯電話機を取り替える同番移行もメモリカードの差し換えのみで行なえる効果を有する。
【０１２８】
携帯電話機を取り替えても、ユーザ情報がメモリカードに記憶されているので、再入力の必要が無いという効果を有する。
【０１２９】
メモリカードのメモリ容量を大きくすることができるので、ユーザ情報記憶用の携帯電話機内部メモリが不足することを避けることができる効果を有する。
【０１３０】
メモリカードにパスワードを記憶しておき、ユーザが携帯電話機から入力したパスワードと照合することによって不正使用を防止できる効果を有する。
【０１３１】
携帯電話機とメモリカードを別個に保管することによって、携帯電話機あるいはメモリカードを紛失するかあるいは盗難にあった場合の不正使用を防止できる効果を有する。
【０１３２】
サーバのユーザに開放されたメモリ空間を介して他の端末装置、例えばパソコンとデータのやり取りができる効果を有する。
【図面の簡単な説明】
【図１】本発明の実施の形態における携帯電話機の外観図である。
【図２】メモリカードに記憶する内容の一例を示す図である。
【図３】携帯電話機の内部構成を示すブロック図である。
【図４】本発明の実施の形態における、ユーザと回線業者と販売店の関係を示す図である。
【図５】回線業者のデータベースの構成を示す図である。
【図６】携帯電話機の表示部の表示例を示す図である。
【図７】携帯電話機の使用形態を示すフローチャートである。
【図８】携帯電話機の静止および未操作監視時のフローチャートである。
【図９】携帯電話機のキー操作時のフローチャートである。
【図１０】携帯電話機からサービスセンタのユーザ開放空間へのユーザ情報のアップロード、ダウンロードを示す図である。
【図１１】携帯電話機からサービスセンタのユーザ開放空間へのユーザ情報のアップロード、ダウンロードの手順を示すシーケンスチャートである。
【図１２】ＰＢ信号と文字コード等の変換図である。
【図１３】携帯電話機と他の端末装置、例えばパソコンの通信を示すシステム図である。
【図１４】サービスセンタと端末装置、例えばパソコンの通信の手順を示すシーケンスチャートである。
【図１５】サービスセンタと端末装置、例えばパソコンの通信におけるパソコンの画面表示例である。
【符号の説明】
１  携帯電話機
２  アンテナ
３  情報表示部
４  スピーカ
５  データ通信ボタン
６  応答ボタン
７  ダイヤルボタン群
８  マイク
９  メモリカード挿入口
１０  メモリカード
１１  ＰＢ信号受信機
１２  ＰＢ信号送信機
１３  キー操作検出回路
１４  表示回路
１５  受信セレクタ
１６  送信セレクタ
１７  ＣＰＵ
１８  受信回路
１９  送信回路
２０  無線回路
２１  振動検出回路
【図１】
0003788700.tif 000002
【図２】
0003788700.tif 000003
【図３】
0003788700.tif 000004
【図４】
0003788700.tif 000005
【図５】
0003788700.tif 000006
【図６】
0003788700.tif 000007
【図７】
0003788700.tif 000008
【図８】
0003788700.tif 000009
【図９】
0003788700.tif 000010
【図１０】
0003788700.tif 000011
【図１１】
0003788700.tif 000012
【図１２】
0003788700.tif 000013
【図１３】
0003788700.tif 000014
【図１４】
0003788700.tif 000015
【図１５】
0003788700.tif 000016